(57)【要約】【課題】  従来、ウォーキング又はジョギングをしているときに飲用水が欲しく成ることに備えて、ペットボトルに充填された飲用水を携帯することがあるが、ペットボトルを把持して携帯する場合ウォーキング時又はジョギング時には手の振りの方向とペットボトルに充填された飲用水等の液体の移動する方向とが一致しないため手首に負担がかかるものであり課題を有していた。【課題を解決するための手段】【解決手段】  本発明のグリップ付きペットボトルは、透明又は半透明の合成樹脂で形成されたペットボトルの本体胴部の長手方向を湾曲させ、その湾曲の内側に長手方向に沿ってグリップを形成すると共に、湾曲をウォーキング時又はジョギング時に人間が手を振る円弧と略合致する円弧としたものである。【選択図】  図１
2005193973.tif 000002
【特許請求の範囲】
【請求項１】
透明又は半透明の合成樹脂で形成されたペットボトルの本体胴部の長手方向を湾曲させ、その湾曲の内側に長手方向に沿ってグリップを形成すると共に、前記湾曲をウォーキング時又はジョギング時に人間が手を振る円弧と略合致する円弧としたことを特徴とするグリップ付きペットボトル。
【発明の詳細な説明】
【技術分野】
【０００１】  本発明はグリップ付きペットボトルに関するものであり、更に、詳細には、ミネラルウォーター、お茶等の飲用水を充填する共に、ウォーキング時又はジョギング時にダンベルとして使用して身体に負荷をかけることができるグリップ付きペットボトルに関するものである。
【背景技術】
【０００２】  従来、この種のペットボトルはミネラルウォーターやお茶、ジュース等の飲料水を充填してスーパーマーケット、コンビニエンスストア、自動販売機等で大量に販売されているが、飲用水を充填するだけの目的で製造されており携帯するための構造は考えられていなかった。【０００３】  その為に、この種のボトル類に把持部を設けたものが考えられ、例えば、胴部の後部に一対の係止凸部を一体に形成した壜本体と、前記係止凸部が係止可能な係止孔を有し、壜本体への組付け時の復帰不能な変位により、前記係止凸部を前記係止孔との係止方向に押圧接する変位板を設けた把手とから構成するもの（特許文献１参照）や、螺子蓋式のプラスチック製ボトルの首部に密栓状態で螺合可能な装着部を有すると共に、この装着部には把持部を設けたもの（特許文献２参照）や、略対象形をなす一対の把手分割体を液体容器本体の半周部を抱持する半周抱持部と携帯者により把持される把持部とを有するように形成し、これら把手分割体を液体容器本体に組み付けた状態で、半周抱持部又は把持部のいずれか一方で両把手分割体を相係合させ、他方で拡開防止手段を用いて両把手分割体を結合させたもの（特許文献３参照）が開示されている。
【特許文献１】    特開平６−１１５５５３号公報（図１）
【特許文献２】    特開平１１−１６５１５８号公報（図２）
【特許文献３】    実開昭６０−９２９４０号公報（第１図）
【発明の開示】
【発明が解決しようとする課題】
【０００４】  然し乍ら、胴部の後部に一対の係止凸部を一体に形成した壜本体と、前記係止凸部が係止可能な係止孔を有し、壜本体への組付け時の復帰不能な変位により、前記係止凸部を前記係止孔との係止方向に押圧接する変位板を設けた把手とから構成するものや、螺子蓋式のプラスチック製ボトルの首部に密栓状態で螺合可能な装着部を有すると共に、この装着部には把持部を設けたものでは、単に把持してペットボトルの持ち運びが容易となるように把持部を設けただけのものであり、更に、略対象形をなす一対の把手分割体を液体容器本体の半周部を抱持する半周抱持部と携帯者により把持される把持部とを有するように形成し、これら把手分割体を液体容器本体に組み付けた状態で、半周抱持部又は把持部のいずれか一方で両把手分割体を相係合させ、他方で拡開防止手段を用いて両把手分割体を結合させたものでは、２本のプラスチックボトルを把持部で接続させて運動具に転用できるものではあるが、人間が移動しない状態でダンベルとして使用するものであり、ウォーキング又はジョギングをしているときに飲用水が欲しく成ることに備えて、ペットボトルに充填された飲用水を携帯することがあるが、ペットボトルを把持して携帯する場合ウォーキング時又はジョギング時には手の振りの方向とペットボトルに充填された飲用水等の液体の移動する方向とが一致しないため手首に負担がかかるものであり課題を有していた。
【課題を解決するための手段】
【０００５】  本発明のグリップ付きペットボトルは、前述の課題に鑑みて、鋭意研鑽の結果、透明又は半透明の合成樹脂で形成されたペットボトルの本体胴部の長手方向を湾曲させ、その湾曲の内側に長手方向に沿ってグリップを形成すると共に、湾曲をウォーキング時又はジョギング時に人間が手を振る円弧と略合致する円弧としたものである。
【発明の効果】
【０００６】  本発明のグリップ付きペットボトルは、ウォーキングする時又はジョギングする時に両手に夫々飲用水の充填されたペットボトルのグリップを把持することにより、充填された飲用水の重量によって負荷をかけることができ、更に、人間がウォーキングする時又はジョギングする時に手を振る円弧と略合致する円弧をペットボトルの本体胴部に湾曲させていることによって、負荷が手首等に違和感無くかかると共に、ウォーキング又はジョギングしているときに、水分補給のために飲用水を欲する場合は、キャップを取って飲用できるものであり、画期的で極めて実用性の高い発明である。
【発明を実施するための最良の形態】
【０００７】  本発明はグリップ付きペットボトルに関するものであり、更に、詳細には、ミネラルウォーター、お茶等の飲用水を充填する共に、ウォーキング時又はジョギング時にダンベルとして使用して身体に負荷をかけることができるグリップ付きペットボトルに関するものであり、透明又は半透明の合成樹脂で形成されたペットボトル１の本体胴部の長手方向を湾曲させ、その湾曲の内側に長手方向に沿ってグリップ２を形成すると共に、前記湾曲をウォーキング時又はジョギング時に人間が手を振る円弧と略合致する円弧としたものである。
【実施例】
【０００８】  以下、本発明のグリップ付きペットボトルの実施例の図面を用いて詳細に説明すると、図１は本発明のグリップ付きペットボトルの実施の形態を説明するための斜視図である。【０００９】  即ち、本発明のグリップ付きペットボトルのペットボトル１は、汎用されているペットボトルと同様な透明又は半透明の合成樹脂で形成されているもので、充填される液体もミネラルウォーター、お茶、ジュース等市販されているものと同じであり、充填量も従来のものと同量が充填されるものであるが、身体に負荷をかけることから１乃至２リットル程度の充填量が好適なものである。【００１０】  つまり、ペットボトル１は後述する湾曲された筒状の本体胴部と、該本体胴部の下方に形成された載置するための底部と、本体胴部の上方は上方に窄むように形成された肩部と、該肩部の上方に形成された首部と、該首部の上端に開口させた開口部と、該開口部の近傍の外周には螺子部が形成され、該螺子部に別体のキャップを螺合して開口部を閉蓋しているものである。【００１１】  そして、図１に図示する如く、ペットボトル１の本体胴部は長手方向に湾曲させているものであり、その湾曲はウォーキング時又はジョギング時に人間が手を振る円弧と略合致する円弧としたものである。【００１２】  次に、グリップ２はペットボトル１の本体胴部の湾曲の内側に長手方向に沿って形成されているものであり、グリップ２はペットボトル１と一体に略コ字状に形成しても、接着、溶着等の手段によって後付けされたものでも構わないものである。【００１３】  更に、グリップ２の人間が把持する位置には把持が容易にできるように、又、把持した手が滑らないように凹凸を形成しているものであり、グリップ２が脆弱な場合は補強杆を中間位置に差し渡して、その補強杆を指と指との間に位置させて把持できるものでも構わないもので、そのデザインも任意なものである。【００１４】  そして、湾曲は人間がウォーキングする時又はジョギングする時に手を振る円弧と略合致する円弧とするもので、つまり、手を下げてウォーキングする場合は肩から手の長さの円弧とするもので、又、軽く肘を曲げてウォーキングやジョギングする場合はその状態での肩から手の位置までの長さの円弧したものである。【００１５】  前述のように構成された本発明のグリップ付きペットボトルは、ウォーキングやジョギングする時に両手に夫々一本宛把持するものであり、ペットボトル１に充填された飲用水の重量により手、腕、足等に適宜な負荷をかけることができ、更には、ペットボトル１の本体胴部を湾曲させたことにより飲用水等の移動方向と腕振りの方向が合致して手に異方向の負荷がかからなく好適なものである。
【産業上の利用可能性】
【００１６】  本発明のグリップ付きペットボトルは、ペットボトルにグリップを形成し、本体胴部をウォーキング時又はジョギング時に人間が手を振る円弧と略合致する円弧に湾曲させたことによって、ウォーキング時又はジョギング時に人間が手を振る方向と、ペットボトルに充填されている飲用水等の液体の移動方向が合致し、手首に負担がかかることなく、且つ、飲用水等の液体の重量があることから負荷をかけてウォーキング又はジョギングをすることかでき、従来のペットボトルと同様に必要に応じて充填された飲用水を飲用できるものである。【００１７】  従って、負荷をかけてウォーキング又はジョギングをすることができると共に、飲用したいときはいつでも飲用を可能とするグリップ付きペットボトルを提供するものである。
【図面の簡単な説明】
【００１８】
【図１】本発明のグリップ付きペットボトルの実施の形態を説明するための斜視図である。
【符号の説明】
【００１９】１      ペットボトル
２      グリップ
【図１】
2005193973.tif 000003